(57)【要約】【課題】  より誤操作を防止できる電気掃除機を提供する。【解決手段】  電気掃除機は、送風機を内蔵する掃除機本体と、塵埃を吸込む吸込口体と、前記吸込口体と前記掃除機本体とを接続する接続管と、前記接続管に対する角度を可変に設けられ、前記角度に応じて電気掃除機の状態を操作するとともに、掃除時に使用者が把持して前記吸込口体を移動させる把持部と、を有する。【選択図】  図１
2020137825.tif 000002
【特許請求の範囲】
【請求項１】
送風機を内蔵する掃除機本体と、
塵埃を吸込む吸込口体と、
前記吸込口体と前記掃除機本体とを接続する接続管と、
前記接続管に対する角度を可変に設けられ、前記角度に応じて電気掃除機の状態を操作するとともに、掃除時に使用者が把持して前記吸込口体を移動させる把持部と、
を有する電気掃除機。
【請求項２】
前記把持部は、前記掃除機本体に設けられた開口部に回動可能に保持されている、請求項１または２に記載の電気掃除機。
【請求項３】
前記角度を変更し、前記把持部を掃除位置に位置合わせした場合に、前記送風機が起動し、前記把持部を停止位置に位置合わせした場合に、前記送風機が停止する、請求項１または２に記載の電気掃除機。
【請求項４】
さらに、吸込んだ前記塵埃を捕集する集塵部を有し、
前記角度を変更し、前記把持部を塵埃廃棄位置に位置合わせした場合に、前記集塵部に捕集した塵埃が廃棄可能となるように蓋が開く、請求項１〜３のいずれか１項に記載の電気掃除機。
【請求項５】
前記角度を前記塵埃廃棄位置に変更する際、前記把持部は、前記停止位置を経る、請求項４に記載の電気掃除機。
【請求項６】
前記掃除位置は、前記接続管と前記把持部とが略直交する位置である、請求項１〜５のいずれか１項に記載の電気掃除機。
【請求項７】
前記停止位置は、前記把持部が前記接続管の延長線に沿うまたは略平行になる位置である、請求項１〜６のいずれか１項に記載の電気掃除機。
【発明の詳細な説明】
【技術分野】
【０００１】
本発明は、電気掃除機に関する。
【背景技術】
【０００２】
例えば、特許文献１には、運転の開始や停止等を設定するためのボタン類と、集塵部に捕集された塵埃を廃棄するための蓋を開くための廃棄ボタンとが、把持部に設けられた電気掃除機が開示されている。
【先行技術文献】
【特許文献】
【０００３】
【特許文献１】特開２００５−２０４８９２号公報
【発明の概要】
【発明が解決しようとする課題】
【０００４】
しかしながら、特許文献１に開示された電気掃除機においては、把持部にて、誤って使用者が意図しない操作が設定されたボタンを押してしまう可能性がある。例えば、掃除中に停止ボタンを押した場合には、電気掃除機が停止し得るし、廃棄ボタンを押した場合には、集塵部の蓋が開いて塵埃が散乱することが起こり得る。本発明の一形態は、より誤操作を防止できる電気掃除機を提供することにある。
【課題を解決するための手段】
【０００５】
本発明の一形態の電気掃除機は、送風機を内蔵する掃除機本体と、塵埃を吸込む吸込口体と、前記吸込口体と前記掃除機本体とを接続する接続管と、前記接続管に対する角度を可変に設けられ、前記角度に応じて電気掃除機の状態を操作するとともに、掃除時に使用者が把持して前記吸込口体を移動させる把持部と、を有する。
【発明の効果】
【０００６】
本発明の一形態の電気掃除機によれば、把持部の角度を変化させることにより電気掃除機の状態を操作するため、使用者の意図しない操作が起こりにくく、誤操作を防止することができる。
【図面の簡単な説明】
【０００７】
【図１】（ａ）は第１の実施形態にかかる電気掃除機の停止状態を示す一例の図であり、（ｂ）はその掃除機本体における断面図である。
【図２】（ａ）は第１の実施形態にかかる電気掃除機の掃除状態を示す一例の図であり、（ｂ）はその掃除機本体における断面図である。
【図３】（ａ）は第１の実施形態にかかる電気掃除機の塵埃廃棄状態を示す一例の図であり、（ｂ）はその掃除機本体における断面図である。
【図４】（ａ）（ｂ）はそれぞれ把持部の別の例を示す図である。
【発明を実施するための形態】
【０００８】
以下、本発明の実施形態について、図面を参照しつつ説明する。なお、図面については、同一又は同等の要素には同一の符号を付し、重複する説明は省略する。
【０００９】
（第１の実施形態）
図１〜３は、本実施形態に係る電気掃除機の一例を示す図である。図１（ａ）は、本電気掃除機の電源がオフの状態を示し、図１（ｂ）は図１（ａ）における掃除機本体の断面図である。図２（ａ）は、本電気掃除機の電源がオンの状態を示し、図２（ａ）における掃除機本体の断面図である。図３（ａ）は、本電気掃除機において塵埃を廃棄する状態を示し、図３（ｂ）は図３（ａ）における掃除機本体の断面図である。
【００１０】
本実施形態の電気掃除機１００は、例えば、吸込口体１０１、接続管（延長管）１０２、掃除機本体１０３、ダストカップ（集塵部）１０４、把持操作部１０５、把持部１０６を含む。
【００１１】
掃除機本体１０３は、ダストカップ１０４を有し、接続管（延長管）１０２を介して、吸込口体１０１に接続されている。なお、接続管１０２は掃除機本体１０３対して着脱可能であり、吸込口体１０１に対して着脱可能である。そして、電気掃除機１００は、掃除機本体１０３に設けられた送風機（図示せず）を駆動させることにより、吸込口体１０１から吸い込んだダストを、接続管１０２を介して、ダストカップ１０４に捕集することにより掃除することができる。また、使用者は、把持部１０６の把持体１２０を握り、接続管１０２を介して吸込口体１０１を移動させることにより、掃除することができる。なお、吸込口体１０１を掃除機本体１０３に直接接続した状態で、使用者は、把持部１０６の把持体１２０を握り、吸込口体１０１を移動させることにより、掃除することもできる。
【００１２】
掃除機本体１０３に設けられている把持操作部１０５は、例えば、把持部１０６、およびスイッチ部１１０を備える。この把持操作部１０５において、把持部１０６を位置合わせすることにより、電気掃除機１００の状態（動作状態）を、例えば、停止状態、掃除状態、および塵埃廃棄状態に操作することができる。これら電気掃除機１００の状態ついては後述する。
【００１３】
把持部１０６は、例えば、使用者が握れるようになっている棒状の把持体１２０と、バネ等の弾性部材１２１により把持体１２０の先端方向に付勢された先端部１２２を有する。また、把持部１０６は、例えば、図２（ａ）における矢印Ａ、図３（ａ）における矢印Ｂで示される方向に、回転可能（回動可能）に設けられ、接続管１０２に対して所定の角度となるように可変になっている。そして、把持部１０６を所定の角度にすることにより、所定の位置に位置合わせすることができる。なお、把持部１０６の角度は、把持部１０６における把持体１２０の先端部１２２に向かう方向と、掃除機本体１０３に接続された接続管１０２や吸込口体１０１に向かう方向とのなす角の角度である。
【００１４】
スイッチ部１１０は、例えば、把持部１０６を位置合わせした位置（把持部１０６の角度）に応じて、電気掃除機１００の状態を操作する。より具体的には、スイッチ部１１０は、例えば、停止状態に対応する停止位置部１１１、掃除状態に対応する掃除位置部１１２、塵埃廃棄状態に対応する塵埃廃棄位置部１１３を有し、これらの位置部１１１・１１２・１１３のいずれかに把持部１０６を位置合わせすることにより、電気掃除機１００の状態が切り替えられる。この場合、停止状態に対応する停止位置部１１１のなす角度は、１８０°、掃除状態に対応する掃除位置部１１２のなす角度は９０°、塵埃廃棄状態に対応する塵埃廃棄位置部１１３のなす角度は２７０°（―９０°）となる。なお、電気掃除機１００の状態については、上記に限定されるものではなく、例えば、掃除状態における電気掃除機の吸引力、例えば、強や弱に操作するように構成してもよい。また、これに限らず、電気掃除機１００における吸引力の強や弱等の強度を制御するためのスイッチ類は、掃除機本体１０３等の別の個所に設けてもよい。
【００１５】
また、より具体的なスイッチ部１１０の例としては、例えば、円形の開口部の周囲に設けられたガイド部１１４と、その周囲に設けられた先端部ガイド１１７とを含む。そして、ガイド部１１４は、把持部１０６の端部がスライドして、回転可能になるように把持部１０６を保持する。さらに、先端部ガイド１１７では、把持部１０６の回転の際に、把持部１０６の先端部１２２が把持部１０６方向に引っ込められた状態で摺動可能に移動するようになっている。つまり、上記把持操作部１０６は、例えば、スイッチ部１１０の円形の開口部に上記把持部１０６が回転可能に保持され、この開口部を介して使用者が把持部１０６を握るように構成されている。
【００１６】
ここで、電気掃除機１００の各状態、つまり、停止状態、掃除状態、塵埃廃棄状態について、より詳細に説明する。
【００１７】
停止状態は、例えば、電気掃除機１００の電源がオフとなり、送風機が停止した状態である。停止状態においては、例えば、図１（ａ）（ｂ）に示すように、把持部１０６の先端部１２２がスイッチ部１１０の停止位置部１１１に位置合わせされる。停止位置部１１１には、電気掃除機１００の電源をオフにし、送風機を停止させるスイッチが設けられている。そのため、この停止位置部１１１に把持部１０６を位置合わせすることにより、送風機が停止し、電気掃除機１００は停止状態となる。この停止状態は、例えば電気掃除機１００を収納する際の状態としても採用することができる。
【００１８】
さらに、図１（ｂ）に示すように、例えば、停止位置部１１１は、把持部１０６の先端部１２２を嵌合させることが可能な穴（凹部）となっている。この穴と先端部１２２を嵌合させることにより、把持部１０６を所定の位置に位置合わせするように構成する。これにより、把持部１０６を停止位置部１１１に容易に位置合わせするとともに、一旦位置合わせした先端部１２２を停止位置部１１１に固定することができる。なお、把持部１０６の固定を解除する場合には、把持部１０６を回転させた際にその回転力により先端部１２２を把持部１０６側に引っ込むように構成してもよいし、把持部１０６の先端部１２２を把持部１０６側に引っ込めるためのボタン等を設け、ボタンを操作することにより先端部１２２と各位置との固定が解除されるように構成してもよい。
【００１９】
掃除状態は、電気掃除機１００の電源がオンとなり、送風機が駆動して使用者が掃除する状態である。掃除状態においては、例えば、図２（ａ）（ｂ）に示すように、把持部１０６の先端部１２２がスイッチ部１１０の掃除位置部１１２に位置合わせされる。掃除位置部１１２には、電気掃除機１００の電源をオンにし、送風機を駆動させるスイッチが設けられている。そのため、この掃除位置部１１２に把持部１０６を位置合わせすることにより、送風機が起動し、電気掃除機１００は掃除状態となる。
【００２０】
さらに、図２（ｂ）に示すように、例えば、掃除位置部１１２も停止位置部１１１と同様に、把持部１０６の先端部１２２を嵌合させることが可能な穴（凹部）となっている。この穴と先端部１２２を嵌合させることにより、把持部１０６を所定の位置に位置合わせするように構成する。これにより、容易に把持部１０６を所定の掃除位置に位置合わせするとともに、一旦掃除位置に位置合わせした先端部１２２を掃除位置部１１２に固定することができる。そして、先端部１２２を固定することにより、把持部１０６自体も固定することができ、使用者が把持部１０６を握って電気掃除機１００を操作して掃除することができる。
【００２１】
さらにまた、例えば、掃除位置部１１２に位置合わせした把持部１０６を、さらに矢印Ｂ方向への回転を規制するストッパ１１５がスイッチ部１１０に設けられている。このストッパ１１５により、把持部１０６を掃除位置部１１２により固定し、不必要に把持部１０６が回転することを防止することができる。
【００２２】
塵埃廃棄状態は、例えば、使用者がダストカップ１０４に溜まった塵埃を廃棄できる状態である。塵埃廃棄状態においては、例えば、図３（ａ）（ｂ）に示すように、把持部１０６の先端部１２２が塵埃廃棄位置部１１３に位置合わせされる。塵埃廃棄位置部１１３には、ダストカップ１０４に溜まった塵埃を廃棄するための蓋１３１を開閉する開閉機構が設けられている。
【００２３】
この開閉機構は、例えば、図３（ｂ）に示すように、蓋１３１に設けられた溝１３２に嵌合する爪部１３５と、爪部１３５が回転可能に連結されたシャフト部１３６とを含む。より詳細には、図１（ｂ）、図２（ｂ）に示すように、爪部１３５が蓋１３１における溝部１３２に係合して、蓋１３１を支持することにより、蓋１３１は閉じた状態となる。そして、把持部１０６の先端部１２２でシャフト部１３６を図３（ｂ）における矢印Ｃ方向に回転させる（押し込む）と、シャフト部１３６が矢印Ｃ方向に移動し、爪部１３５が蓋１３１に設けられた溝部１３２から離脱し、蓋１３１が開く。これにより、ダストカップ１０４に溜まった塵埃を廃棄することができる。スイッチ部１１０には、例えば、上記把持部１０６の先端部１２２を矢印Ｃ方向に回転させた（押しこんだ）際に把持部１０６の回転を規制するストッパ１１６が設けられている。このストッパ１１６は、シャフト部１３６が矢印Ｃ方向への移動を規制する役割も果たす。なお、上記開閉機構は、把持部１０６を回転させることにより蓋１３１を開くことができればよく、上記に限定されるものではない。また、上記蓋１３１の開く方向は特に限定されるものではなく、例えば、ダストカップや掃除機本体の形状、使用者の使いやすさに応じて適宜設定すればよい。本実施形態においては、把持部１０６が、掃除位置から停止位置を経て、塵埃廃棄位置に位置合わせするように設定しているため、塵埃廃棄位置においては、電気掃除機１００の電源がオフとなっており、送風機が停止した状態となっている。したがって、本電気掃除機１００においては、送風機が起動した状態でダストカップ１０４の蓋１３１を開くことを防止される。なお、塵埃を廃棄した後は、開いた蓋１３１を使用者が閉じるようにすればよい。
【００２４】
ここで、さらに、電気掃除機１００における各状態（掃除状態、停止状態、塵埃廃棄状態）からの変更について説明する。
【００２５】
本実施形態の電気掃除機１００はスティック型電気掃除機であり、例えば、図１（ａ）に示すように、把持部１０６を停止位置に位置合わせした停止状態にて、接続管１０２を直立させて収納される。
【００２６】
図１（ａ）（ｂ）に示すように、停止状態（収納状態）の場合、例えば、把持部１０６は、接続管１０２の延長線に沿うように位置合わせされている。そのため、把持部１０６の長手方向が略垂直方向に配置されている。このように把持部１０６と接続管１０２を配置することにより、使用者は、停止した状態で収納した電気掃除機１００の把持部１０６を握りやすい角度となっており、電気掃除機１００を使用時に取り出しやすくなっている。なお、上記では、把持部１０６を接続管１０２の延長線に沿うように位置合わせしたが、接続管１０２の延長線と把持部１０６とが略平行に配置するように構成しても同様に使用者は把持部１０６を握りやすくなる。
【００２７】
電気掃除機１００を停止状態から掃除状態に変更する、つまり電気掃除機１００で掃除を開始する場合は以下の通りである。使用者は、図１（ａ）（ｂ）に示す電気掃除機１００の停止状態から、把持部１０６を回転させ、接続管１０２に対して所定の角度に変更し、停止位置部１１１から掃除位置部１１２に位置合わせする。これにより、電気掃除機１００は停止状態から掃除状態に変更される。より具体的には、図２（ａ）（ｂ）に示すように、把持部１０６を矢印Ａの方向に回すとともに、吸込口体１０１の前方（図２における右方向）にスライドさせ、接続管１０２を倒すように傾けることにより、使用者は電気掃除機１００をスムーズに停止状態から掃除状態に変更させることができる。また、把持部１０６を回転させる比較的大きな動作で電気掃除機１００を起動させるため、誤って電気掃除機１００を起動させる可能性を抑制することができる。さらに、この掃除状態においては、把持部１０６が停止位置部１１１方向へのみ回転可能なようにストッパ１１５により回転方向を規制しているため、電気掃除機１００が起動中に誤って塵埃廃棄位置部１１３に把持部１０６を回転させることを防止することができる。
【００２８】
また、掃除状態では、図２（ａ）（ｂ）に示すように、例えば、把持部１０６が、接続管１０２と略直交するように位置合わせされる。これにより、使用者は、電気掃除機１００で掃除する際に、把持部１０６を握りやすく、さらに操作しやすくなる。
【００２９】
電気掃除機１００を掃除状態から停止状態に操作する、つまり電気掃除機１００の起動中に電気掃除機１００を停止する場合は以下の通りである。使用者は、図２（ａ）（ｂ）に示す電気掃除機１００の掃除状態から、図２（ａ）で示した矢印Ａとは逆方向に回転させ、掃除位置部１１２から停止位置部１１１に位置合わせする。これにより、電気掃除機１００は掃除状態から停止状態に操作される。
【００３０】
電気掃除機１００を停止状態から塵埃廃棄状態に操作する、つまり電気掃除機１００におけるダストカップ１０４に溜まった塵埃を廃棄する場合は以下の通りである。使用者は、図１（ａ）（ｂ）に示す電気掃除機１００の停止状態から、把持部１０６を回転させ、接続管１０２に対して所定の角度に変更し、停止位置部１１１から塵埃廃棄位置部１１３に位置合わせする。これにより電気掃除機１００は停止状態から塵埃廃棄状態に操作される。より具体的には、図３（ａ）（ｂ）に示すように、把持部１０６を矢印Ｂの方向に回すとともに、さらに把持部１０６を矢印Ｃの方向に押し込むことにより、ダストカップ１０４の蓋１３１を開かせ、ダストカップ１０４に溜まった塵埃を廃棄する。このように、塵埃廃棄位置部１１３においてさらに把持部１０６をさらに押し込んで蓋１３１を開かせることにより、より使用者のタイミングで意図してダストカップ１０４の塵埃を廃棄することができる。なお、塵埃廃棄位置部１１３に把持部１０６を位置合わせする際には、停止位置部１１１を経るように設定しているため、塵埃を廃棄する際には電気掃除機１００は停止状態とすることができる。また、塵埃廃棄状態においては、把持部１０６が停止位置部１１１方向へのみ回転可能なようにストッパ１１６により回転方向を規制しているため、電気掃除機１００が塵埃廃棄状態でダストカップ１０４の蓋１３１が開いた状態で誤って掃除位置部１１２に把持部１０６を回転させることを防止することができる。さらに、電気掃除機１００を塵埃廃棄状態から停止状態に操作する際には、ダストカップ１０４の蓋１３１が閉まるように構成すれば、蓋１３１の閉め忘れを防止することができる。
【００３１】
本実施形態においては、掃除機本体１０３に、把持操作部１０５、ダストカップ１０４および接続管１０２が直接設けられた例を挙げたが、この構成に限定されるものではない。例えば、接続管１０２をアタッチメントノズルに置き換えた構成であってもよい。
【００３２】
さらに、把持操作部１０５とダストカップ１０４とを一体的に設け、別途掃除機本体をホース等でダストカップ１０４と接続した構成（キャニスター型電気掃除機）であってもよい。
【００３３】
上記把持部１０６は、上記に限定されるものではなく、例えば、下記第２、第３の実施例の構成であってもよい。
【００３４】
第２の実施例の把持部１０６について説明する。第２の実施例の把持部１０６は、例えば、図４（ａ）に示すように、把持体１２０の周囲に上記ガイド部１１４に対応する円形の被ガイド部４０１を設けた構成である。被ガイド部４０１は、把持体１２０を回転させた際に、ガイド部１１４に摺動可能に設けられている。これにより、ガイド部１１４に沿って被ガイド部４０１を安定して回転させることができ、被ガイド部４０１に接続された把持体１２０を安定して回転させることができる。また、この被ガイド部４０１に弾性部材１２１に付勢された先端部１２２を設けている。そして、先端部１２２の位置に応じて、停止位置部１１１、掃除位置部１１２、塵埃廃棄位置部１１３等の位置が変更される。これにより、掃除機本体１０３における各種部材の配置等に応じて、スイッチ部１１０における停止位置部１１１、掃除位置部１１２、塵埃廃棄位置部１１３等の位置を適宜変更することができ、掃除機本体１０３における設計の自由度を向上させることができる。なお、被ガイド部４０１における先端部１２２を設ける位置は、特に限定されるものではなく、対応するスイッチ部１１０等を配置できる位置であればよい。また、スイッチ部１１０等の位置に応じて、先端部１２２の位置を変更してもよい。
【００３５】
第３の実施例の把持部１０６について説明する。第３の実施例の把持部１０６は、例えば、図４（ｂ）に示すように、把持部１２０の周囲に上記ガイド部１１４に対応する半円形の被ガイド部４０２を設けた構成である。この第３の実施例の把持部１０６は、第２の実施例の把持部１０６における被ガイド部４０１の構成を変更したものであり、第２の実施例の把持部１０６と同様の効果を有する。
【００３６】
本実施形態の電気掃除機１００によれば、把持部１０６の角度（位置）を変更することにより、電気掃除機１００の状態を操作するため、電気掃除機１００の誤操作を防止することができる。特に、ダストカップ１０４の塵埃を廃棄する際には、電気掃除機１００、つまり送風機が起動していない状態となる塵埃廃棄位置に把持部１０６の角度を変更するため、送風機の起動中にダストカップ１０４の蓋１３１が開くことを防止することができる。
【００３７】
（まとめ）
本発明の一形態の電気掃除機は、送風機を内蔵する掃除機本体と、塵埃を吸込む吸込口体と、前記吸込口体と前記掃除機本体とを接続する接続管と、前記接続管に対する角度を可変に設けられ、前記角度に応じて電気掃除機の状態を操作するとともに、掃除時に使用者が把持して前記吸込口体を移動させる把持部と、を有する。
【００３８】
この構成によれば、把持部を所定の角度にして位置合わせすることにより、電気掃除機の状態を操作するため、使用者の意図しない操作となる誤操作を防止することができる。
【００３９】
本発明の一形態の掃除機は、次のように構成されていてもよく、それらが適宜組み合わされてもよい。
【００４０】
（１）前記把持部は、前記掃除機本体に設けられた開口部に回動可能に保持されていてもよい。これにより、使用者が掃除機本体に設けられた把持部で掃除することができる。
【００４１】
（２）前記角度を変更し、前記把持部を掃除位置に位置合わせした場合に、前記送風機が起動し、前記把持部を停止位置に位置合わせした場合に、前記送風機が停止するように構成してもよい。これにより、把持部の角度により、送風機の起動および停止を制御することができる。
【００４２】
（３）さらに、吸込んだ前記塵埃を捕集する集塵部を有し、前記角度を変更し、前記把持部を塵埃廃棄位置に位置合わせした場合に、前記集塵部に捕集した塵埃が廃棄可能となるように蓋が開くように構成してもよい。これにより、電気掃除機が起動している状態で集塵部に溜まった塵埃を廃棄する等の誤操作を防止することができる。
【００４３】
（４）前記角度を前記塵埃廃棄位置に変更する際、前記把持部は、前記停止位置を経るように構成してもよい。これにより、より集塵部の塵埃を廃棄する際に、より確実に電気掃除機を停止させることができる。
【００４４】
（５）前記掃除位置は、前記接続管と前記把持部とが略直交する位置であってもよい。これにより、使用者が把持部を握りやすい角度とし、より掃除しやすくすることができる。
【００４５】
（６）前記停止位置は、前記把持部が前記接続管の延長線に沿うまたは略平行になる位置であってもよい。これにより、特に接続管を直立させて収納した状態において、使用者が把持部を握りやすくすることができ、この把持部を握った状態から簡単に掃除状態に移行させることができる。
【００４６】
本発明は、上記実施の形態に限定されるものではなく、上記実施の形態で示した構成と実質的に同一の構成、同一の作用効果を奏する構成又は同一の目的を達成することができる構成で置き換えてもよい。
【符号の説明】
【００４７】
１００  電気掃除機、１０１  吸込口体、１０２  接続管、１０３  掃除機本体、１０４  ダストボックス（集塵部）、１０５  把持操作部、１０６  把持部、１１０  スイッチ部、１１１  停止位置部、１１２  掃除位置部、１１３  塵埃廃棄位置部、１１４  ガイド部、１１５  ストッパ、１１６  ストッパ、１１７  先端部ガイド、１２０  把持体、１２１  弾性部材、１２２  先端部、１３１  蓋、１３２  溝部、１３５  爪部、１３６  シャフト部、４０１  被ガイド部、４０２  被ガイド部
【図１】
2020137825.tif 000003
【図２】
2020137825.tif 000004
【図３】
2020137825.tif 000005
【図４】
2020137825.tif 000006